(57)【要約】      （修正有）【課題】  簡単に組立分解ができ、この組立分解に要する時間を節約できる乾燥装置を提供することにある。【解決手段】  干したい物を支える第一支持部３０が第二支持部４０と連結され、乾燥機１に嵌め合せ、該乾燥機１は気流を生じ、干したい物の水分を排除する。一つの台座Ｂが乾燥機１と連結され、乾燥機１の底と置き場の間に気体を流通させる隙間を作る。【選択図】  図１
2006006354.tif 000002
【特許請求の範囲】
【請求項１】
干したい物を支える第一支持部と、この第一支持部を連結した干したい物を支える第二支持部と、前記第一支持部に連結され、気流を生じ、干したい物の水分を排除する気流発生器と、この気流発生器を支持し、該気流発生器の底と置き場の間に気体を流通させる隙間を作る支持部とを含むことを特徴とする、乾燥装置。
【請求項２】
請求項１に記載の乾燥装置において、前記気流発生器は最低限一つの入り口を有することを特徴とする、乾燥装置。
【請求項３】
請求項１に記載の乾燥装置において、前記気流発生器は最低限一つの出口を有することを特徴とする、乾燥装置。
【請求項４】
請求項１に記載の乾燥装置において、前記気流発生器は最低限一つの連結部を有することを特徴とする、乾燥装置。
【請求項５】
請求項４に記載の乾燥装置において、前記連結部が一つの支持部に連結されたことを特徴とする、乾燥装置。
【請求項６】
請求項１に記載の乾燥装置において、前記気流発生器は、本体一つ、台座一つと蓋体一つで組み付けられたことを特徴とする、乾燥装置。
【請求項７】
請求項６に記載の乾燥装置において、前記台座に最低限一つの固定手段で、前記台座の貫通部により、前記蓋体が固着されたことを特徴とする、乾燥装置。
【請求項８】
請求項１に記載の乾燥装置において、前記第一支持部の一端に蹄部が一つ設けられたことを特徴とする、乾燥装置。
【請求項９】
請求項６に記載の乾燥装置において、前記蓋体には貫通孔が一つ設けられたことを特徴とする、乾燥装置。
【請求項１０】
請求項６に記載の乾燥装置において、前記本体に嵌合部が一つ設けられたことを特徴とする、乾燥装置。
【請求項１１】
請求項１０に記載の乾燥装置において、前記嵌合部にさらにかしめが一つ設けられたことを特徴とする、乾燥装置。
【請求項１２】
請求項１０に記載の乾燥装置において、前記本体に連結するため、前記第一支持部に対応できる嵌合部のネジ溝が設けられたことを特徴とする、乾燥機構。
【請求項１３】
請求項１に記載の乾燥装置において、最低限一つの竿が設けられたことを特徴とする、乾燥装置。
【請求項１４】
請求項１３に記載の乾燥装置において、前記竿の周辺に一つの止り締め手段を設けられたことを特徴とする、乾燥装置。
【請求項１５】
請求項１に記載の乾燥装置において、前記第一支持部に一つの締め手段が設けられたことを特徴とする、乾燥装置。
【請求項１６】
請求項１に記載の乾燥装置において、前記第二支持部に一つの懸け部が設けられたことを特徴とする、乾燥装置。
【請求項１７】
請求項１６に記載の乾燥装置において、前記懸け部に懸け棒が最低限一つ設けられたことを特徴とする、乾燥装置。
【請求項１８】
請求項１７に記載の乾燥装置において、前記懸け棒に槽口が最低限一つ設けられたことを特徴とする、乾燥装置。
【請求項１９】
請求項１６に記載の乾燥装置において、前記第二支持部に滑り体が一つ嵌め合わせたことを特徴とする、乾燥装置。
【請求項２０】
請求項１９に記載の乾燥装置において、前記第二支持部にかしめが一つ設けられたことを特徴とする、乾燥装置。
【請求項２１】
請求項１７に記載の乾燥装置において、前記懸け棒に一つの連動棒が連結されたことを特徴とする、乾燥装置。
【請求項２２】
請求項１９に記載の乾燥装置において、前記滑り体に一つの連動棒が連結されたことを特徴とする、乾燥装置。
【請求項２３】
請求項１に記載の乾燥装置において、さらにコートで覆われたことを特徴とする、乾燥装置。
【請求項２４】
請求項２３に記載の乾燥装置において、前記コートは一種の通風の良い生地でできたことを特徴とする、乾燥装置。
【請求項２５】
請求項２３に記載の乾燥装置において、前記コートにファスナーが設けられたことを特徴とする、乾燥装置。
【請求項２６】
請求項２３に記載の乾燥装置において、前記コートの一端に一つの束部が設けられたことを特徴とする、乾燥装置。
【請求項２７】
請求項６に記載の乾燥装置において、前記蓋体に一つの凸輪が設けられたことを特徴とする、乾燥装置。
【請求項２８】
請求項２７に記載の乾燥装置において、前記凸輪の周辺は槽型構成であったことを特徴とする、乾燥装置。
【発明の詳細な説明】
【技術分野】
【０００１】
本発明は例えば衣服を乾燥させる際に用いて好適な乾燥装置に係り、とくに、組立分解が容易な上に、省空間で、携帯性に優れた乾燥装置に関する。
【背景技術】
【０００２】
従来の服乾燥装置は、ただ固定された場所に設置され、携帯性に欠ける。例えば、台湾特許公告第１９４０５４号に示された一種の多彩なる機能をもつ乾燥装置の改良に関する公知技術がその例である。この欠点に対し、公告第２１１２５７号において一種の携帯型懸け式服乾燥機装置が提供されている。この乾燥装置は、輪懸けを用い、乾燥機が竿に懸けられ、空気袋が乾燥機の風口に被せられている。そして、ハンガーの曲がったホックを乾燥機の掛孔に懸け、干したい物をハンガーの懸け棒にあった小丸い孔に懸け、乾燥機の熱い風が上から下へ送風されて干したい物を乾燥する。しかるに、この携帯型懸け式服乾燥機装置にまだ下記の欠点があった。
１．空気袋は乾燥機に合わせる必要のあることから、特別のデザインが必要であり、コストが高くなる。
２．ハンガーの構成が複雑で、ハンガーに曲がったホックと右懸け棒や、左懸け棒が設けられている。そして曲がったハンガーに一セットの弾性クリップが設けられ、それを右懸け棒の嵌め口に差し入れ、次は左懸け棒の嵌め口に右懸け棒の弾性クリップを差し入れるものであり、該ハンガーも特別のデザインが必要ため、コストが高くなる。
３．右懸け棒や、左懸け棒には複数の小丸い孔があり、空気袋の口により、乾燥機の風口外辺へ被せられ、槽が覆われており、該ハンガーの曲がったホックが空気袋の透孔を貫通し、乾燥機の下の前の懸け孔に懸けられる。それに一つの輪懸けを乾燥機の下の後ろの懸け孔に懸けられ、乾燥機が棒に懸けられていたので、組立分解に時間を要する。
【発明の開示】
【発明が解決しようとする課題】
【０００３】
上記に周知された欠点を解決するため、本発明の主要の目的は、簡単に組立分解ができ、この組立分解に要する時間を節約できる、乾燥装置を提供することにある。
【０００４】
本発明の次の目的は、服を懸ける機能を含む、固着部分を持つハンガーを有する乾燥装置を提供することにある。
【課題を解決するための手段】
【０００５】
請求項１の発明は、乾燥装置において、最低限に下記の四つのパーツが含まれ、一つは干したい物を支える第一支持部、二つは上記の第一支持部を連結し、干したい物を支える第二支持部、三つは前記第一支持部に連結され気流を生じさせ、干したい物の水分を排除する気流発生器。四つは前記気流発生器の底と置き場の間に気体を流通させる隙を設ける前記気流発生器に取り付ける支持部を含んでいることを特徴とする。
【０００６】
請求項２の発明は、請求項１に記載の乾燥装置において、最低限一つの入り口が設けられたことを特徴とする。
【０００７】
請求項３の発明は、請求項１に記載の乾燥装置において、最低限一つの出口が設けられたことを特徴とする。
【０００８】
請求項４の発明は、請求項１に記載の乾燥装置において、最低限一つの連結部が設けられたことを特徴とする。
【０００９】
請求項５の発明は、請求項４に記載の乾燥装置において、前記連結部が一つの支持部に連結されたことを特徴とする。
【００１０】
請求項６の発明は、請求項１に記載の乾燥装置において、前記気流発生器は本体一つ、台座一つと蓋体一つで組み付けられたことを特徴とする。
【００１１】
請求項７の発明は、請求項６に記載の乾燥装置において、前記台座は最低限一つの固定手段で、前記台座の貫通部により、上記の蓋体を固着することを特徴とする。
【００１２】
請求項８の発明は、請求項１に記載の乾燥装置において、前記第一支持部の一端に蹄部が一つ設けられたことを特徴とする。
【００１３】
請求項９の発明は、請求項６に記載の乾燥装置において、前記蓋体に貫通孔が一つ設けられたことを特徴とする。
【００１４】
請求項１０の発明は、請求項６に記載の乾燥装置において、前記本体に嵌合部が一つ設けられたことを特徴とする。
【００１５】
請求項１１の発明は、請求項１０に記載の乾燥装置において、前記嵌合部にさらにかしめが一つ設けられたことを特徴とする。
【００１６】
請求項１２の発明は、請求項１０に記載の乾燥装置において、前記本体に連結するため、前記第一支持部に対応できる嵌合部のネジ溝が設けられたことを特徴とする。
【００１７】
請求項１３の発明は、請求項１に記載の乾燥装置において、最低限一つの竿が設けられたことを特徴とする。
【００１８】
請求項１４の発明は、請求項１３に記載の乾燥装置において、前記竿の周辺に一つの止り締め手段がを設けられたことを特徴とする。
【００１９】
請求項１５の発明は、請求項１３に記載の乾燥装置において、前記第一支持部に一つの締め手段が設けられたことを特徴とする。
【００２０】
請求項１６の発明は、請求項１に記載の乾燥装置において、前記第二支持部に一つの懸け部が設けられたことを特徴とする。
【００２１】
請求項１７の発明は、請求項１６に記載の乾燥装置において、前記懸け部に懸け棒が最低限一つ設けられたことを特徴とする。
【００２２】
請求項１８の発明は、請求項１７に記載の乾燥装置において、前記懸け棒に槽口が最低限一つ設けられたことを特徴とする。
【００２３】
請求項１９の発明は、請求項１６に記載の乾燥装置において、前記第二支持部に滑り体が一つ嵌め合わせたことを特徴とする。
【００２４】
請求項２０の発明は、請求項１９に記載の乾燥装置において、前記第二支持部にかしめが一つ設けられたことを特徴とする。
【００２５】
請求項２１の発明は、請求項１７に記載の乾燥装置において、前記懸け棒に一つの連動棒が連結されたことを特徴とする。
【００２６】
請求項２２の発明は、請求項１９に記載の乾燥装置において、前記滑り体に一つの連動棒が連結することを特徴とする。
【００２７】
請求項２３の発明は、請求項１に記載の乾燥装置において、さらにコートが一つ覆われたことを特徴とする。
【００２８】
請求項２４の発明は、請求項２３に記載の乾燥装置において、前記コートは一種の通風の良い生地でできたことを特徴とする。
【００２９】
請求項２５の発明は、請求項２３に記載の乾燥装置において、前記コートにファスナーが設けられたことを特徴とする。
【００３０】
請求項２６の発明は、請求項２３に記載の乾燥装置において、前記コートの一端に一つの束部が設けられたことを特徴とする。
【００３１】
請求項２７の発明は、請求項６に記載の乾燥装置において、前記蓋体に一つの凸輪が設けられたことを特徴とする。
【００３２】
請求項２８の発明は、請求項２７に記載の乾燥装置において、前記凸輪の周辺は槽型構成が特徴とする。
【発明を実施するための最良の形態】
【００３３】
下記に図面に合わせた、本発明を実施するための最良の形態の詳細の説明より、本発明の他の長所、目的、技術特徴と効果を理解されたい。
【実施例１】
【００３４】
図１、２に示されたのは、本発明の乾燥装置１の一つの実施例であり、最低限には下記の部分が含まれ、気流を生じ、干したい物の水分を排除する。つまり、乾燥する気流発生器１０が一つ、該気流発生器１０には、最低限入り口１１一つ、出口１２一つが設けられ、外部の空気が入り口１１から取り入られ、出口１２から排出される。それに、気流発生器１０の底と置き場との間に隙間を残させ、空気を流通させるため、最低限一つの連結部１３が支持部２０（図３を参照）の最低限一つに連結される。実施例では、気流発生器１０が冷風、熱風、及び蒸気を生じさせる。一つの第一支持部３０（図４を参照）を上記の気流発生器１０へ連結させる。
【００３５】
気流発生器１０にはさらに一つの本体Ａ、一つの座体Ｂ、一つの蓋体Ｃが含まれ、上記の本体Ａが座体Ｂに固着される（図５を参照）。上記の座体Ｂも最低限一つの固着手段Ｓ（例えば、図５に示されたネジなど）により、該座体Ｂにあった一つの貫通部Ｂ１で上記の蓋体Ｃの一つの貫通部Ｃ１を固定させ、上記の気流発生器１０全体の連結緊密度が強化できる。
【００３６】
上記第一支持部３０の一端に一つの蹄部３１が設けられ、上記蓋体Ｃに設けられた貫通孔Ｃ２を経由し、上記の本体Ａの一つの嵌合溝Ａ１が設けられた上記蹄部３１に対応するかしめＡ１０（図６を参照）に入り、第一支持部３０を回り、上記の蹄部３１を上記のかしめＡ１０に嵌め合わせると、第一支持部３０が上記の本体Ａへ連結させられ、第一支持部３０と上記の気流発生器１０との嵌め合いが完了する。
【００３７】
第一支持部３０には、最低限一つの竿３２が設けられ、干したい物を懸けられ（例え、図２が示された毛布Ｔ）、更に順、逆時計方向へ往復移動できる（図７、８を参照）。上記の第一支持部３０が該竿３２を連結した周辺に、一つの止り締まり手段３３が設けられ、該止り締まり手段３３は、上記の第一支持部３０の一端を連結する前記竿３２を維持し、下へ傾いて、干したい物が落ちることを防止する。その他、第一支持部３０の止り締まり手段３３の上には、一つの締め手段３４が設けられ、上記竿３２が上へ折られた場合、締め手段３４によって上記の竿３２を係止することにより、省空間になる。
【００３８】
第二支持部４０は、上記の第一支持部３０と連結する。上記の第一支持部３０と、第二支持部４０の一端ごとにネジ溝が設けられ、上記第二支持部４０が第一支持部３０をネジ溝で連結させる（図１１を参照）。上記の第二支持部４０のもう一端に懸け部５０が被せられ、該懸け部５０には干したい物を懸けるため、最低限一つの懸け棒５１０が設けられる（例、図２が示されたＹシャツＪ）。上記の懸け棒５１０には最低限一つの槽口５１１０が設けられ、一つのハンガー６０（図２、９を参照）が懸けられた場合、上記の槽口５１１０により、該ハンガーが落ちぬように固着させられる。
【００３９】
上記の第二支持部４０には一つの滑り体７０が嵌め合されており、一本の連動棒８０の両端にはそれぞれ上記の懸け棒５１０と滑り体７０を連結してある。上記滑り体７０を動かすと、上記の連動棒８０が連動され、懸け棒５１０を伸ばしたり収めたりするこたができる。それに、上記の第二支持部４０にはさらに一つのかしめ４１が設けられ、上記の懸け棒５１０が滑らぬように伸ばすことができる（図９を参照）。上記のかしめ４１を押すと、上記の滑り体７０がかしめ４１を越し、懸け棒５１０が収納状態になれる（図１０を参照）。
【００４０】
それに、本発明に係る乾燥装置１はさらに、一つのコート９０で覆われることにより（図２を参照）、上記の気体をコート９０が限定させた範囲以内に素早く流通させ、乾燥効果を向上させる。該コート９０は通風の良い生地ででき、さらに一本のファスナー９１が設けられ、該コート９０を開いたり閉めたりすることができ、干したい物の出し入れに便利である。尚、上記のコート９０の一辺には一つの束部９２があり、上記の蓋体Ｃに設けられた凸輪Ｃ３（該凸輪Ｃ３の周辺を槽型構造に傾け、上記の束部９２の縛り強度が強まる）に合わせると、上記のコート９０を上記の気流発生器１０に固定させられる。
【００４１】
総合すると、本発明の提供する乾燥装置は、確実に特許の要件に符合する。尚、以上の実施例は本発明の実施範囲を限定するものではなく、本発明に基づきなしうる細部の修飾或いは改変は、いずれも本発明の請求範囲に属するものとする。
【図面の簡単な説明】
【００４２】
【図１】本発明乾燥装置の一実施例の構成図である。
【図２】図１に示した乾燥装置の使用状態を説明する説明図である。
【図３】図１の第一部分の組合せ図である。
【図４】図１の第二部分の組合せ図である。
【図５】気流発生器の分解図である。
【図６】第一支持部が気流発生器に嵌合する状態を示す実施図である。
【図７】第一支持部の一実施例の構成図である。
【図８】第一支持部の収納状態を示す実施例図である。
【図９】第二支持部の一実施例の構成図である。
【図１０】第二支持部の収納状態を示す実施例図である。
【図１１】第一支持部と第二支持部の連結状態を示す実施図である。
【図１２】図４のもう一つの実施図である。
【図１３】図１２の気流発生器の分解図である。
【符号の説明】
【００４３】
１  乾燥装置
１０  気流発生器
１１  入り口
１２  出口
１３  連結部
Ａ  本体
Ａ１  嵌合部
Ａ１０  かしめ部
Ｂ台座
Ｂ１  貫通部
Ｃ  蓋体
Ｃ１  貫通部
Ｃ２  貫通孔
Ｃ３  凸輪
２０  支持部
３０  第一支持部
３１  蹄部
３２  竿
３３  止り締め手段
３４  締め手段
４０  第二支持部
４１  かしめ
５０  懸け部
５１０  懸け棒
５１１０  槽口
６０  ハンガー
７０  滑り体
ＪＹ  シャツ
Ｓ  固定手段
Ｔ  毛布
８０  連動棒
９０  コート
９１  ファスナー
９２  束部
【図１】
2006006354.tif 000003
【図２】
2006006354.tif 000004
【図３】
2006006354.tif 000005
【図４】
2006006354.tif 000006
【図５】
2006006354.tif 000007
【図６】
2006006354.tif 000008
【図７】
2006006354.tif 000009
【図８】
2006006354.tif 000010
【図９】
2006006354.tif 000011
【図１０】
2006006354.tif 000012
【図１１】
2006006354.tif 000013
【図１２】
2006006354.tif 000014
【図１３】
2006006354.tif 000015